(57)【要約】【課題】同一室内空間に設置された複数の空気調和機が、互いの人検知情報や吸込温度の温度情報や運転情報を把握することで、各空調対象空間の空調負荷や室内空間全体の空調負荷を算出し、その算出結果に基づいて空調空間全体の省電力運転を行うことができる空気調和システムを得ること。【解決手段】同一室内空間に設置された３台の空気調和機Ａの制御部１７を通信線２０で接続し、これら空気調和機の制御部のそれぞれが同一空間にある他の全ての空気調和機の人感センサー１６の検知情報、リモコン１８の設定温度情報及び吸込温度センサー１５の吸込温度情報を把握でき、これらの情報に基づいて、各制御部がそれぞれの空調対象空間の空調負荷及びこれらの空調対象空間に基づく空調空間全体の空調負荷を同じように算出し、その算出結果に基づいて圧縮機を駆動制御して空調空間全体の省電力運転を行うようにした。【選択図】図１
2010159905.tif 000002
【特許請求の範囲】
【請求項１】
室内機に空調対象空間における人体動作を検知する人感センサー及び吸込温度を検知する吸込温度センサーが設けられ、
前記室内機に設置された熱交換器の熱交換効率を制御する圧縮機と、運転の開始・停止及び設定温度を設定するリモコンと、該リモコンに設定された運転の開始・停止及び設定温度の情報と前記吸込温度センサー及び人感センサーの検知情報に基づいて前記圧縮機を駆動制御する制御部を備えた空気調和機であって、
同一室内空間に設置された複数台の空気調和機の制御部を有線又は無線で接続し、これら複数台の空気調和機の制御部のそれぞれが同一空間にある他の全ての空気調和機の人感センサーの検知情報、リモコンの設定温度情報及び吸込温度センサーの吸込温度情報を把握でき、これらの情報に基づいて、各制御部がそれぞれの空調対象空間の空調負荷及びこれらの空調対象空間に基づく空調空間全体の空調負荷を同じように算出し、その算出結果に基づいて前記各圧縮機を駆動制御して空調空間全体の省電力運転を行うことを特徴とする空気調和システム。
【請求項２】
前記各空気調和機の制御部は、算出した室内空間全体と空調対象空間のどちらの空調負荷も余裕がある場合に、複数台の空気調和機のうち、余裕の分だけ少なくとも１つの空気調和機の運転を停止させたり、或いは余裕の分だけ効率の良い１つ以上の空気調和機を優先的に運転させたり又は余裕の分だけ各空気調和機の設定温度又は吸込温度を省電力側にシフトさせた省電力運転を行うことを特徴とする請求項１記載の空気調和システム。
【請求項３】
前記各空気調和機の制御部は、同一室内空間の中で各人感センサーの検知情報から在室人数の少ない一部空調対象空間の空気調和機の運転を停止させたり、設定温度又は吸込温度を省電力側にシフトさせた省電力運転を行うことを特徴とする請求項１記載の空気調和システム。
【請求項４】
前記各空気調和機の制御部は、各人感センサーの検知情報からの在室人数の大小に応じて設定温度又は吸込温度の省電力側へのシフト量を可変させることを特徴とする請求項３記載の空気調和システム。
【請求項５】
前記各空気調和機の制御部は、同一室内空間の中で各人感センサーの検知情報から在室人数のない一部空調対象空間の空気調和機については最大限省電力側にシフトさせた省電力運転を行い、同一室内空間の中で各人感センサーの検知情報から在室人数のある一部空調対象空間の空気調和機について、吸込温度と設定温度との差が一定以上大きくならない範囲で省電力運転を行うことを特徴とする請求項１記載の空気調和システム。
【請求項６】
前記各空気調和機の制御部は、同一室内空間の中で、全ての空気調和機が同時に除霜運転することを禁止し、算出した空調負荷が小さい空調対象空間の空気調和機から1台ずつ除霜運転を行うことを特徴とする請求項１記載の空気調和システム。
【請求項７】
前記各空気調和機の制御部は、同一室内空間の中で、全ての空気調和機が同時に除霜運転することを禁止し、各空気調和機の人感センサーの検知情報から在室人数の少ない空調対象空間の空気調和機から１台ずつ除霜運転を行うことを特徴とする請求項１記載の空気調和システム。
【請求項８】
前記室内機に、吸込口から吸込空気を吸い込む遠心ファン及び吹出口から吹き出す吹出空気の風向を調整するベーンが設置され、
前記各空気調和機の制御部は、同一室内空間の中で、複数台の空気調和機が同時に除霜運転することを禁止し、算出した空調負荷のうち、空調負荷が高く、能力不足の空調対象空間に対し、それ以外の空調対象空間の空気調和機から前記ベーンを駆動制御して風向、前記遠心ファンを駆動制御して風量を調整した吹出空気を送るようにしたことを特徴とする請求項１記載の空気調和システム。
【請求項９】
室内機に空調対象空間における人体動作を検知する人感センサー及び吸込温度を検知する吸込温度センサーが設けられ、
前記室内機に設置された熱交換器の熱交換効率を制御する圧縮機と、運転の開始・停止及び設定温度を設定するリモコンと、該リモコンに設定された運転の開始・停止及び設定温度の情報と前記吸込温度センサー及び人感センサーの検知情報に基づいて前記圧縮機を駆動制御する制御部を備えた空気調和機であって、
同一室内空間に設置された前記複数台の空気調和機のうち、１台が親機となるように制御部を有線又は無線で接続し、前記親機の空気調和機の制御部がそれ以外の空気調和機の人感センサーの検知情報、リモコンの設定温度情報及び吸込温度センサーの吸込温度情報も把握でき、これらの情報に基づいて、各空調対象空間の空調負荷及びこれらの空調対象空間の空調負荷に基づく空調空間全体の空調負荷を算出し、その算出結果に基づいて空調空間全体の省電力運転を行うよう前記親機の空気調和機の制御部がそれ以外の空気調和機の制御部に対して制御指令を出力することを特徴とする空気調和システム。
【請求項１０】
前記親機の空気調和機の制御部は、算出した室内空間全体と空調対象空間のどちらの空調負荷も余裕がある場合に、複数台の空気調和機のうち、余裕の分だけ少なくとも１つの空気調和機の運転を停止させたり、或いは余裕の分だけ効率の良い１つ以上の空気調和機を優先的に運転させたり又は余裕の分だけ各空気調和機の設定温度又は吸込温度を省電力側にシフトさせた省電力運転を行う制御指令をそれに対応する空気調和機の制御部に対して出力することを特徴とする請求項９記載の空気調和システム。
【請求項１１】
前記親機の空気調和機の制御部は、同一室内空間の中で各人感センサーの検知情報から在室人数の少ない一部空調対象空間の空気調和機の運転を停止させたり、設定温度又は吸込温度を省電力側にシフトさせた省電力運転を行う制御指令をそれに対応する空気調和機の制御部に対して出力することを特徴とする請求項９記載の空気調和システム。
【請求項１２】
前記親機の空気調和機の制御部は、各人感センサーの検知情報からの在室人数の大小に応じて設定温度又は吸込温度の省電力側へのシフト量を可変させることを特徴とする請求項１１記載の空気調和システム。
【請求項１３】
前記親機の空気調和機の制御部は、同一室内空間の中で各人感センサーの検知情報から在室人数のない一部空調対象空間の空気調和機については最大限省電力側にシフトさせた省電力運転を行い、同一室内空間の中で各人感センサーの検知情報から在室人数のある一部空調対象空間の空気調和機について、吸込温度と設定温度との差が一定以上大きくならない範囲で省電力運転を行う制御指令をそれに対応する空気調和機の制御部に対して出力することを特徴とする請求項９記載の空気調和システム。
【請求項１４】
前記親機の空気調和機の制御部は、同一室内空間の中で、全ての空気調和機が同時に除霜運転することを禁止し、算出した空調負荷が小さい空調対象空間の空気調和機から1台ずつ除霜運転を行う制御指令をそれに対応する空気調和機の制御部に対して出力することを特徴とする請求項９記載の空気調和システム。
【請求項１５】
前記親機の空気調和機の制御部は、同一室内空間の中で、全ての複数台の空気調和機が同時に除霜運転することを禁止し、各空気調和機の人感センサーの検知情報から在室人数の少ない空調対象空間の空気調和機から１台ずつ除霜運転を行う制御指令をそれに対応する空気調和機の制御部に対して出力することを特徴とする請求項９記載の空気調和システム。
【請求項１６】
前記室内機に、吸込口から吸込空気を吸い込む遠心ファン及び吹出口から吹き出す吹出空気の風向を調整するベーンが設置され、
前記親機の空気調和機の制御部は、同一室内空間の中で、全ての空気調和機が同時に除霜運転することを禁止し、算出した空調負荷のうち、空調負荷が高く、能力不足の空調対象空間に対し、それ以外の空調対象空間の空気調和機から前記ベーンを駆動制御して風向、前記遠心ファンを駆動制御して風量を調整した吹出空気を送る制御指令をそれに対応する空気調和機の制御部に出力することを特徴とする請求項９記載の空気調和システム。
【請求項１７】
室内機に空調対象空間における人体動作を検知する人感センサー及び吸込温度を検知する吸込温度センサーが設けられ、
前記室内機に設置された熱交換器の熱交換効率を制御する圧縮機と、運転の開始・停止及び設定温度を設定するリモコンと、該リモコンに設定された運転の開始・停止及び設定温度の情報と前記吸込温度センサー及び人感センサーの検知情報に基づいて前記圧縮機を駆動制御する制御部を備えた空気調和機であって、
同一室内空間に設置された前記複数台の空気調和機とは別の制御装置が上位機種となるように全ての空気調和機の制御部と有線又は無線で接続し、前記制御装置が前記複数台の空気調和機の人感センサーの検知情報、リモコンの設定温度情報及び吸込温度センサーの吸込温度情報を把握でき、これらの情報に基づいて、各空調対象空間の空調負荷及びこれらの空調対象空間の空調負荷に基づく空調空間全体の空調負荷を算出し、その算出結果に基づいて空調空間全体の省電力運転を行うように前記制御装置が前記複数台の空気調和機の制御部に対して制御指令を出力することを特徴とする空気調和システム。
【請求項１８】
前記制御装置は、算出した室内空間全体と空調対象空間のどちらの空調負荷も余裕がある場合に、複数台の空気調和機のうち、余裕の分だけ少なくとも１つの空気調和機の運転を停止させたり、或いは余裕の分だけ効率の良い１つ以上の空気調和機を優先的に運転させたり又は余裕の分だけ各空気調和機の設定温度又は吸込温度を省電力側にシフトさせた省電力運転を行う制御指令をそれに対応する空気調和機の制御部に対して出力することを特徴とする請求項１７記載の空気調和システム。
【請求項１９】
前記制御装置は、同一室内空間の中で各人感センサーの検知情報から在室人数の少ない一部空調対象空間の空気調和機の運転を停止させたり、設定温度又は吸込温度を省電力側にシフトさせた省電力運転を行う制御指令をそれに対応する空気調和機の制御部に対して出力することを特徴とする請求項１７記載の空気調和システム。
【請求項２０】
前記親機の空気調和機の制御部は、各人感センサーの検知情報からの在室人数の大小に応じて設定温度又は吸込温度の省電力側へのシフト量を可変させることを特徴とする請求項１９記載の空気調和システム。
【請求項２１】
前記制御装置は、同一室内空間の中で各人感センサーの検知情報から在室人数のない一部空調対象空間の空気調和機については最大限省電力側にシフトさせた省電力運転を行い、同一室内空間の中で各人感センサーの検知情報から在室人数のある一部空調対象空間の空気調和機について、吸込温度と設定温度との差が一定以上大きくならない範囲で省電力運転を行う制御指令をそれに対応する空気調和機の制御部に対して出力することを特徴とする請求項１７記載の空気調和システム。
【請求項２２】
前記制御装置は、同一室内空間の中で、全ての空気調和機が同時に除霜運転することを禁止し、算出した空調負荷が小さい空調対象空間の空気調和機から1台ずつ除霜運転を行う制御指令をそれに対応する空気調和機の制御部に対して出力することを特徴とする請求項１７記載の空気調和システム。
【請求項２３】
前記制御装置は、同一室内空間の中で、全ての複数台の空気調和機が同時に除霜運転することを禁止し、各空気調和機の人感センサーの検知情報から在室人数の少ない空調対象空間の空気調和機から１台ずつ除霜運転を行う制御指令をそれに対応する空気調和機の制御部に対して出力することを特徴とする請求項１７記載の空気調和システム。
【請求項２４】
前記室内機に、吸込口から吸込空気を吸い込む遠心ファン及び吹出口から吹き出す吹出空気の風向を調整するベーンが設置され、
前記制御装置は、同一室内空間の中で、全ての空気調和機が同時に除霜運転することを禁止し、算出した空調負荷のうち、空調負荷が高く、能力不足の空調対象空間に対し、それ以外の空調対象空間の空気調和機から前記ベーンを駆動制御して風向、前記遠心ファンを駆動制御して風量を調整した吹出空気を送る制御指令をそれに対応する空気調和機の制御部に出力することを特徴とする請求項１７記載の空気調和システム。
【発明の詳細な説明】
【技術分野】
【０００１】
本発明は、室内機に人体動作を検知する人感センサーを設けた空気調和機を室内空間に複数台設け、これら空気調和機を制御する空気調和システムに関するものである。
【背景技術】
【０００２】
従来よりこの種の空気調和機においては、人体動作を検知する赤外線センサー（以下、人感センサーと称す）を本体に取り付け、この人感センサーが人の存否を検知することによって、運転を停止させたり、設定温度を省電力側にシフトしたりすることで、省電力運転できるものが開発されている（例えば、特許文献１参照）。
このように人感センサーを用いれば、室内における人の存否に応じて空気調和機の運転モードを自動的に制御することが可能となり、使用者にとってより快適で、且つ、効率的な空調運転を実現できる。
例えば、店舗、飲食店、事務所等の比較的広い室内空間を持つ建屋において室内空間を空調する場合、一般的に複数の室内機を用いて一つの室内空間の空調を行うケースが多い。
【先行技術文献】
【特許文献】
【０００３】
【特許文献１】特開２００８−１０１８８０号公報（第１頁、第１図）
【発明の概要】
【発明が解決しようとする課題】
【０００４】
従来の空気調和機では、室内機がそれぞれの空調エリアの人の存否を検知して個別に空調を行うため、例えば室内のあるエリアに人が集中した場合、人のいないエリアの空気調和機が省電力運転することで室内空間全体として空調能力が不足するといった問題があった。
上記のような問題を回避するために、一律に省電力運転へのシフト量を小さくするなどすれば、十分な省電力効果を得ることが困難となる。
また、各空気調和機が個別に運転していたため、暖房運転時に複数の空気調和機が同時に除霜運転をしてしまい、一時的に空調能力が大幅に低下し、室内の快適性が大幅に低下するといった問題もあった。
本発明はかかる問題点を解決するためになされたもので、同一室内空間に設置された複数の空気調和機が、互いの人検知情報や運転情報を共有することで、各空調対象空間の空調負荷や室内空間全体の空調負荷を把握した上で、省電力運転を行うことができる空気調和システムを得ることを目的とする。
【課題を解決するための手段】
【０００５】
本発明に係る空気調和システムは、室内機に空調対象空間における人体動作を検知する人感センサー及び吸込温度を検知する吸込温度センサーが設けられ、前記室内機に設置された熱交換器の熱交換効率を制御する圧縮機と、運転の開始・停止及び設定温度を設定するリモコンと、該リモコンに設定された運転の開始・停止及び設定温度の情報と前記吸込温度センサー及び人感センサーの検知情報に基づいて前記圧縮機を駆動制御する制御部を備えた空気調和機であって、同一室内空間に設置された複数台の空気調和機の制御部を有線又は無線で接続し、これら複数台の空気調和機の制御部のそれぞれが同一空間にある他の全ての空気調和機の人感センサーの検知情報、リモコンの設定温度情報及び吸込温度センサーの吸込温度情報を把握でき、これらの情報に基づいて、各制御部がそれぞれの空調対象空間の空調負荷及びこれらの空調対象空間に基づく空調空間全体の空調負荷を同じように算出し、その算出結果に基づいて前記各圧縮機を駆動制御して空調空間全体の省電力運転を行うようにしたものである。
【発明の効果】
【０００６】
本発明に係る空気調和システムによれば、同一室内空間に設置された複数台の空気調和機の制御部を有線又は無線で接続し、これら複数台の空気調和機の制御部のそれぞれが同一空間にある他の全ての空気調和機の人感センサーの検知情報、リモコンの設定温度情報及び吸込温度センサーの吸込温度情報を把握でき、これらの情報に基づいて、各制御部がそれぞれの空調対象空間の空調負荷及びこれらの空調対象空間に基づく空調空間全体の空調負荷を同じように算出し、その算出結果に基づいて前記各圧縮機を駆動制御して空調空間全体の省電力運転を行うようにしたので、空調空間全体における省エネを効率的に図ることができる。
【図面の簡単な説明】
【０００７】
【図１】本発明の実施の形態１の空気調和システムのブロック図。
【図２】同空気調和システムの空気調和機の内部構成を示すブロック図。
【図３】同空気調和システムの空気調和機の室内機の全体の半分の構成を示す断面図。
【図４】同空気調和システムの空気調和機の室内パネルを示す正面図。
【図５】本発明の実施の形態２の空気調和システムのブロック図。
【図６】本発明の実施の形態３の空気調和システムのブロック図。
【発明を実施するための形態】
【０００８】
実施の形態１．  
図１は本発明の実施の形態１の空気調和システムのブロック図、図２は同空気調和システムの空気調和機の内部構成を示すブロック図、図３は同空気調和システムの空気調和機の室内機の全体の半分の構成を示す断面図、図４は同空気調和システムの空気調和機の室内パネルを示す正面図である。
この実施の形態１の空気調和システムの空気調和機Ａの室内機１は、室内の天井に埋設配置される天井埋込式のものであるが、他の形態の室内機にも適用できるものである。
【０００９】
図３に示すように、室内機１は、天井５０の上側に埋設配置される矩形箱状の外郭２と、外郭２の下端開口部に室内側から装着された矩形平板状の室内パネル３を備えている。
また、図４に示すように、室内パネル３の中央部には吸込口４が形成されている。その吸込口４の外周には４つの吹出口５が形成されている。
【００１０】
また、外郭２の内側で吸込口４の上部に遠心ファン６が設置され、その遠心ファン６の外周には遠心ファン６を囲むようにして熱交換器７が設置されている。
また、遠心ファン６と吸込口４との間にはベルマウス８が配置されている。また、吸込口４には吸込グリル９とフィルター１０が装着されている。
吹出口５の上部には吹出風路１１が形成され、吹出口５の下部には吹き出し風向を調整するベーン１２が設置されている。
【００１１】
上記のような構成により、遠心ファン６が回転することで吸込空気１３は吸込口３、ベルマウス８を通り、熱交換器７で熱交換された後、吹出風路１１を通ってベーン１２で風向が調整され、吹出口５から吹出空気１４として吹き出されるため、遠心ファン６の回転数を制御することで風量を、ベーン１２の角度を制御することで、風向を調整することができる。
【００１２】
一方、吸込口４には吸込空気の温度を測定する吸込温度センサー１５が設置され、室内パネル３の表面側（室内側）の一角部には、空調対象空間の人体動作を検知できる人感センサー１６が設置されている（図４参照）。ここでの人感センサー１６は赤外線のため、空調対象空間の壁や床の輻射温度を測定することも可能である。
【００１３】
吸込口３とベルマウス８の間に設置されている制御部１７には、吸込温度センサー１５、人感センサー１６の検知情報が入力され、制御部１７はこれらの検知情報とリモコン１８の設定温度に基づいて遠心ファン６、ベーン１２及び圧縮機１９を駆動制御し、運転・停止の制御や省電力運転、風量、風向の制御を行う。
【００１４】
本発明の実施の形態１では、以上のような空気調和機Ａについて同一室内空間の例えば３台を図１のように通信線２０にて接続している。
このように同一室内空間の例えば３台の空気調和機Ａの制御部１７を通信線２０により接続することで、各々の空気調和機Ａの制御部１７は同一室内空間の他の２台の空気調和機Ａの人検知情報や設定温度や吸込温度や運転情報等も把握することができる。
そして、各空気調和機Ａの制御部１７は、自分とそれ以外の空気調和機Ａの人検知情報や、設定温度や、吸込温度や、運転状態情報等に基づいて、各々が空調空間全体の負荷状況を同じように判断し、その結果によって空調空間全体の快適性と省電力運転を両立した運転を行うようにしている。
【００１５】
各空気調和機Ａの制御部１７はそれぞれ同一室内空間において空調対象空間が決まっており、その空調対象空間の空調負荷はリモコン１８による「設定温度」と、吸込温度センサー１５が検出した「吸込温度（室内）」と人感センサー１６が検出した「人感センサーが検出する人数」とから算出する。
まず、設定温度と吸込温度との差異が大きいほど、空調負荷が高いと判断する。また、上記に加え、例えば冷房時では人数が多いほど負荷が大きくなり、暖房時だと人数が少ないほど空調負荷が高くなる。
そこで、「設定温度」と、「吸込温度（室内）」と「人感センサーが検出する人数」の情報から複合的に判断して、空調対象空間の空調負荷を算出する。
また、同一室内空間の空調空間全体の空調負荷は、各空気調和機Ａの制御部１７がそれぞれの空気調和機Ａの空調対象空間の空調負荷の総和から求める。
【００１６】
そして、各空調対象空間の空調負荷が高いと判断した場合に、空調能力を上げて空調負荷を低くするために、具体的には制御部１７が圧縮機１９の回転数を上げるように制御する。そうすると、熱交換器７の温度が暖房のときは上がり、冷房のときは下がり、空調負荷は低くなる。
また、制御部１７が室内機１の遠心ファン６の回転数を上げるように制御すると、熱交換器７を通過する空気の量が増えるので、空調能力が上がり、空調負荷は低くなる。
したがって、圧縮機１９、遠心ファン６の回転数を下げると、空調能力が下がることとなる。
【００１７】
次に、本発明の実施の形態１の空気調和システムで、第１に各空気調和機Ａの制御部１７が同一室内空間の各空調対象空間の空調負荷と空調空間全体の空調負荷を求め、空調空間全体の快適性と省電力運転を両立した運転を行う場合について詳細に説明する。
ここでまず、各空調対象空間の空調負荷を把握する意味について説明する。
例１として、空気調和機には下記のような特徴がある。
ａ）どの機種にも最小能力が存在し、それ以上能力を下げることはできない。従って、それ以上に能力を下げる必要がある場合は、運転−停止を繰り返すこととなる。
ｂ）運転起動時の効率は通常時に比べて悪い（効率が１／２程度になる）。
ここで、効率＝空調能力／消費電力
以上のことを考慮して、例えば、最小能力５ＫＷの空気調和機４台が取り付けられている室内空間で、４台の空気調和機が最小能力で運転したとしても２０ＫＷであるので、仮に室内空間全体の空調負荷が１５ＫＷの場合は[空気調和機の能力]＞[空調負荷]  となり、全４台の空気調和機が[冷やし過ぎたため停止]−[停止することで室温が上昇し運転]を繰り返すことになる。
このように、空気調和機Ａの停止と運転を繰り返すと、起動時の効率の悪い状態で運転する時間が長くなる。
そこで、本発明の実施の形態１では、室内空間全体の空調負荷を１５ＫＷと判断すると、１台の空気調和機Ａを停止させ、３台で１５ＫＷで運転させることで、従来に比べ、無駄な停止によるロスを抑制することができ、省エネを図ることができる。
【００１８】
例２として、空気調和機Ａは機器によって効率が異なり（例えば、高効率のデラックス機種と、通常の汎用機種）、同じ機器でも能力（圧縮機の回転数）により効率が異なる（動作点の違いによる運転効率の違い）。
同一室内空間に複数の異なった空気調和機Ａが据え付けられた場合、従来はそれぞれの空気調和機Ａがそれぞれの空調負荷に合わせて個々に運転するが、本発明の実施の形態１では、室内全体の空調負荷を満足すれば、効率の良い空気調和機を優先的に運転させたり、効率の良いポイントで使用させたりすることで、室内空間全体としてある空調能力を出力するのに、より消費電力の小さい運転を行うことが可能となる。
こういったことは、同一室内空間において、空調対象空間の空調負荷と空調空間全体の空調負荷が明らかになって初めて可能となるからである。
【００１９】
次に、省電力運転と快適性の意味について説明する。
ａ）省電力運転
本発明の実施の形態１の空気調和システムでは、各空気調和機Ａの制御部１７が効率の良い空気調和機Ａを優先的に運転させたりすることで、従来と同じ空調負荷でより、空調空間全体において消費電力の小さい運転を行うことが可能、即ち省電力運転ができる。
ｂ）快適性
快適性については、「従来より快適」ということではなく、最大限省電力運転となる運転を行うと、空気調和機により出力の大きいものや小さいものが生じることから、室内の温度ムラが生じ快適性を悪化させてしまうことも予想される。
そこで、省電力のみを考慮して運転するのではなく、快適性にも配慮した運転を行うということである。
すなわち、例えば、人のいないエリアである空調対象空間は最大限省電力の運転を行い、人のいるエリアである空調対象空間は各空調空間の間の吸込温度（室内）の差異（＝温度ムラ）が一定以上にならない範囲で省電力運転を行う。
こうすることによって、省電力運転と快適性が両立した運転が可能となる。
【００２０】
第２に、室内空間全体と空調対象空間のどちらの空調負荷も余裕があるときに、運転を停止したり設定温度を省電力側にシフトしたり、といった省電力運転を行う場合について説明する。
ここで、室内空間全体と空調対象空間のどちらの空調負荷も余裕があるかどうかは、空調対象空間における設定温度と吸込み温度（室内）の差異で判断し、吸込み温度が設定温度に近づいて来れば空調負荷が小さくなって空調負荷に余裕があるとする。
さらに、もう１つのファクターとして人感センサー１６で検知した人数が加わり、例えば冷房時では人数が多いほど負荷が大きくなり、暖房時だと人数が少ないほど空調負荷が高くなるので、冷房時では人数が少ない方が空調負荷に余裕があり、暖房では人数が多いほど空調負荷に余裕があるということになる。
室内空間全体について空調負荷に余裕があるかどうかは、各空調対象空間の空調負荷の余裕の総和から判断する。
【００２１】
そして、室内空間全体と空調対象空間のどちらの空調負荷も余裕があるときに、設定温度を省電力側にシフトして省電力運転を行う場合について説明する。  
一般的には空気調和機の出力は「設定温度と吸込温度の差異」により調整され、冷房時では、「吸込温度−設定温度」が小さくなると、出力を小さくするので、設定温度を大きい方にシフトすれば省電力運転となる（吸込み温度を小さい方にシフトしても同意）。
また、暖房時では、「設定温度−吸込温度」が小さくなると、出力を小さくするので、設定温度を小さい方にシフトすれば省電力運転となる（吸込温度を大きい方にシフトしても同意）。
即ち、より冷やさなくても良い、暖めなくても良い、といった方向になるので、省電力運転になる。
ここで、設定温度をシフトするとは、冷房時にユーザーが設定した設定温度が２３℃でも、制御部１７でゲタをはかせ、例えば設定温度を２４℃と認識することで、１℃分省エネ運転するということである。
また、吸込温度をシフトするとは、実際に検知した吸込温度に対し、制御部１７でゲタをはかせ、例えば、冷房時に実際の吸い込み温度が２３℃のとき、制御部１７が吸込温度にゲタをはかせ、２２℃と判断することで、１℃分省エネ運転するということである。
【００２２】
第３に、同一室内空間の中で、在室人数の少ない一部空調対象空間について、運転を停止したり、設定温度を省電力側にシフトしたり、といった省電力運転を行う場合について説明する。
ここで、空調対象空間で在室人数が少ないかどうかは、例えば同一室内空間に５台の空気調和機を設定していた場合、５つの空調対象空間があり、これら５つの空調対象空間の在室人数を比較して少ないかどうかを決め、在室人数が少ない空調対象空間について運転を停止したり、設定温度を省電力側にシフトしたりして省電力運転を行うというものである。
【００２３】
第４に、同一室内空間の中で、各空調対象空間について算出した空調負荷や在室人数の大小により、省電力側へのシフト量を可変させるといった省電力運転を行う場合について説明する。
空調負荷の少ない空調対象空間は、省電力側へのシフト量を大きくし、空調負荷の高い空調対象空間、又は人の多い空調対象空間では快適性にも配慮して省電力側へのシフト量を小さくして運転するというものである。
ここで、省電力側へのシフトとは設定温度若しくは吸込温度を省電力側へシフトさせることをいう。
【００２４】
第５に、同一室内空間の中で、複数台の空気調和機Ａが同時に除霜運転することを禁止し、それぞれの空気調和機Ａにおける人検知情報、温度情報から算出した空調負荷が小さい空調対象空間から１台ずつ除霜運転を行う場合について説明する。
これは、除霜運転中は暖房運転ができなくなるため、同一室内空間の複数台の空気調和機Ａが同時に除霜運転を行うと、空調能力が大幅に低下して、室内温度が下がってしまい室内の快適性の低下を招く。
そこで、1台ずつ除霜運転を行うため、室内空間の空調能力が大幅に低下することを防止することができる。
また、空調負荷の低い空調対象空間からといった順番であるが、外気温度が低く、空調負荷の高い環境下では、十分に室内温度が上がっていない状態で除霜運転に入ることが考えられ、空調負荷の高い空調対象空間は空気調和機Ａを少しでも長く運転させ、室温があがった状態で除霜運転した方が、ユーザーの満足度が悪化しないからである。
ここでは、空調負荷が高く、室内温度が上がっていない状態での除霜運転を例に出したが、室内温度が設定温度に近づいている状態でも、この関係が逆転することはない。
なお、室内温度が上がっていない状態で、除霜運転をせざるを得ない場合、負荷の高い空調対象空間より負荷の低い空調対象空間を優先させた方が、ユーザーの不快度は低いと考えられる。
【００２５】
第６に、同一室内空間の中で、複数台の空気調和機Ａが同時に除霜運転することを禁止し、それぞれの空気調和機Ａの人検知情報から在室人数が少ない空調対象空間から１台ずつ除霜運転を行う場合について説明する。
この場合も除霜運転中は暖房運転ができなくなるため、同一室内空間の複数台の空気調和機Ａが同時に除霜運転を行うと、空調能力が大幅に低下して、室内温度が下がってしまい、室内の快適性の低下を招く。
そこで、1台ずつ除霜運転を行うため、室内空間の空調能力が大幅に低下することを防止することができる。
また、人数の少ない空調対象空間から、といった順番であるが、人数の多い空調対象空間は少しでも長く運転させ、室温があがった状態で除霜運転した方が、ユーザーの満足度が悪化しないからである。
【００２６】
第７に、同一室内空間の中で一部の空調対象空間のみ空調負荷が高く、能力不足気味のとき、他の空調対象空間の空気調和機Ａが風向き、風量を調整して、空調負荷の高い空調対象空間に向けて吹き出し空気を送るように運転する場合について説明する。
この場合の運転の目的は、空調負荷が高く、能力不足気味の空調対象空間に対して「能力不足を補う」ことと、「風の到達性を上げ、能力不足の空調対象空間に到達させる」ことにある。
従って、例えば、遠心ファン６の回転数のテーブルを何段階にも準備しておき、ある空調対象空間の能力不足が解消されるまで段階的に回転数を上げる、といった制御になる。
なお、遠心ファン６の回転数の上限は存在するので、上限以上に風量を上げることはできない。
【００２７】
実施の形態２．
図５は本発明の実施の形態２の空気調和システムのブロック図である。
上記実施の形態１では、複数台の空気調和機Ａの制御部１７が同一室内空間での全検知情報を基に、それぞれ運転しているような形態であったが、実施の形態２では、図５に示すように、同一室内空間に設置された３台の空気調和機Ａのうち、１台が親機となるように空気調和機Ａの制御部１７を通信線２０で接続したものである。
従って、親機の空気調和機の制御部１７がそれ以外の２台の空気調和機Ａの人感センサー１６の検知情報、リモコン１８の設定温度情報及び吸込温度センサー１５の吸込温度情報も把握でき、これらの情報に基づいて、各空調対象空間の空調負荷及びこれらの空調対象空間の空調負荷に基づき空調空間全体の空調負荷を算出し、親機の空気調和機Ａの制御部１７がそれ以外の２台の空気調和機Ａの制御部１７に対して制御指令を出力し、実施の形態１と同様に上述した第１から第７まで各種の運転を行うことができる。
【００２８】
実施の形態３．
図６は本発明の実施の形態３の空気調和システムのブロック図である。
実施の形態３では、図６に示すように、同一室内空間に設置された３台の空気調和機Ａとは別の制御装置３０が上位となるように全ての空気調和機Ａの制御部１７と通信線２０で接続したものである。
従って、制御装置３０が３台の空気調和機Ａの人感センサー１６の検知情報、リモコン１８の設定温度情報及び吸込温度センサー１５の吸込温度情報を把握でき、これらの情報に基づいて、各空調対象空間の空調負荷及びこれらの空調対象空間の空調負荷に基づく空調空間全体の空調負荷を算出し、制御装置３０が３台の空気調和機Ａの制御部１７に対して制御指令を出力し、実施の形態１と同様に上述した第１から第７まで各種の運転を行う。
【００２９】
なお、上記実施の形態１、２はいずれも３台の空気調和機Ａの制御部１７を通信線２０で接続しており、上記実施の形態３は制御装置３０を３台の空気調和機Ａの制御部１７と通信線２０で接続しているが、通信線２０の代わりに無線で接続するようしてもよい。
【符号の説明】
【００３０】
１  室内機、２  外郭、３  室内パネル、４  吸込口、５  吹出口、６  遠心ファン、７  熱交換器、８  ベルマウス、９  吸込グリル、１０  フィルター、１１  吹出風路、１２  ベーン、１３  吸込空気、１４  吹出空気、１５  吸込温度センサー、１６  人感センサー、１７  制御部、３０  制御装置。
【図１】
2010159905.tif 000003
【図２】
2010159905.tif 000004
【図３】
2010159905.tif 000005
【図４】
2010159905.tif 000006
【図５】
2010159905.tif 000007
【図６】
2010159905.tif 000008